(57)【要約】【課題】  リッピングを可能にしながら、記録媒体に記録された著作物の著作権を適切に保護できる「記録再生装置」及び「記録再生方法」を提供する。【解決手段】  記録再生装置１は、記録媒体からデータを読み取るドライブ２と、記録媒体からタグ情報を読み取るＩＣタグ情報読取装置３と、読み取った記録媒体のデータを記録する際に、読み取った記録媒体のデータと読み取ったタグ情報を関連付けて記録する格納装置４と、格納装置４に記録された記録媒体のデータの再生時にＩＣタグ情報読取装置３で読み取ったタグ情報と、格納装置４に記録されたタグ情報が対応するものであるときは、格納装置４に記録された記録媒体のデータの再生を許可する制御部５とを備える。制御部５は、ＩＣタグ情報読取装置３で記録媒体のタグ情報を読み取ることができないときは、格納装置４に記録された対応する記録媒体のデータを消去する。【選択図】        図１
2007012122.tif 000002
【特許請求の範囲】
【請求項１】
記録媒体からデータを読み取るデータ読取部と、
前記記録媒体からタグ情報を読み取るタグ情報読取部と、
前記読み取った記録媒体のデータを記録する際に、前記読み取った記録媒体のデータと前記読み取ったタグ情報を関連付けて記録する記録部と、
前記記録部に記録された記録媒体のデータの再生時に前記タグ情報読取部で読み取ったタグ情報と、前記記録部に記録されたタグ情報が対応するものであるときは、前記記録部に記録された記録媒体のデータの再生を許可する制御部と
を備えることを特徴とする記録再生装置。
【請求項２】
前記タグ情報は、ＩＣタグ情報であることを特徴とする請求項１に記載の記録再生装置。
【請求項３】
前記記録媒体は、コンパクトディスク及びディジタルバーサタイルディスクの一方であることを特徴とする請求項１に記載の記録再生装置。
【請求項４】
前記制御部は、前記タグ情報読取部で前記記録媒体のタグ情報を読み取ることができないときは、前記記録部に記録された対応する記録媒体のデータを消去することを特徴とする請求項１に記載の記録再生装置。
【請求項５】
記録媒体からデータを読み取るステップと、
前記記録媒体のタグ情報を読み取るステップと、
前記読み取った記録媒体のデータと前記読み取ったタグ情報を関連付けて所定の記録部に記録するステップと、
前記記録部に記録された記録媒体のデータの再生時に読み取ったタグ情報と、前記記録部に記録されたタグ情報が対応するものであるときに、前記記録部に記録された記録媒体のデータの再生を許可するステップと
を有することを特徴とする記録再生方法。
【請求項６】
前記タグ情報を読み取ることができないときは、前記記録部に記録された対応する記録媒体のデータを消去するステップをさらに有することを特徴とする請求項５に記載の記録再生方法。
【発明の詳細な説明】
【技術分野】
【０００１】
本発明は、記録再生装置及び記録再生方法に関する。
【背景技術】
【０００２】
従来、音楽ＣＤ（Compact Disc）に記録されているディジタル形式の音声データを抽出し、パソコンで処理できるようなファイル形式に変換して保存（リッピング：ripping）し、ＣＤの入れ替えなく音楽を聞くというのが現在の流行の視聴スタイルである。例えば自己が購入した多くのＣＤに収録された楽曲データをハードディスク装置に記録することにより、ユーザは車に乗る度に、多くのＣＤを車内に持ち込むという煩雑さを解消することができる。
【０００３】
また、コピー防止機能付きのコンテンツが記録されたＣＤ等に、暗号化コンテンツ記録フィールドを設け、コピー防止機能付きのコンテンツの再生、利用ができないＰＣ等においても、所定のライセンスを取得することで、暗号化コンテンツ記録フィールドに記録された暗号化コンテンツの復号を行なって、コンテンツの再生、利用できる情報記録媒体が提案されている（特許文献１）。
【０００４】
【特許文献１】特開２００４−１０２７８８号公報
【発明の開示】
【発明が解決しようとする課題】
【０００５】
しかしながら、ＣＤやＤＶＤのデータをハードディスク装置にリッピングする場合、ＣＤやＤＶＤに格納された音楽や映画の著作物の著作権の問題がある。また、現状では、ＤＶＤの入れ替えなどは面倒なので、ＨＤＤ等にリッピングしておきたいが、著作権上の問題からリッピングを行うことができず、ＤＶＤビデオを見る場合、ディスクをその都度入れ替えが発生する。特許文献１では、ライセンスを取得することによりコンテンツの利用を許可しているが、ライセンスを取得するには複雑な手続き及び管理が必要となる。
【０００６】
そこで、本発明はこれらの問題を解決するためになされたもので、リッピングを可能にしながら、記録媒体に記録された著作物の著作権を適切に保護できる記録再生装置及び記録再生方法を提供することを目的とする。
【課題を解決するための手段】
【０００７】
上記課題を解決するために、本発明の記録再生装置は、記録媒体からデータを読み取るデータ読取部と、前記記録媒体からタグ情報を読み取るタグ情報読取部と、前記読み取った記録媒体のデータを記録する際に、前記読み取った記録媒体のデータと前記読み取ったタグ情報を関連付けて記録する記録部と、前記記録部に記録された記録媒体のデータの再生時に前記タグ情報読取部で読み取ったタグ情報と、前記記録部に記録されたタグ情報が対応するものであるときは、前記記録部に記録された記録媒体のデータの再生を許可する制御部とを備える。
【０００８】
本発明によれば、記録部に記録された記録媒体のデータの再生時にタグ情報読取部で読み取ったタグ情報と、記録部に記録されたタグ情報が対応するものであるときは、記録媒体がタグ情報読取部で読み取れる領域に存在すると判断し、記録部に記録された記録媒体のデータの利用は、著作権が制限される者の利用であると判断する。これにより、著作権が制限される者だけが記録部に記録されたデータを再生することができる。よって、リッピングを可能にしながら、記録媒体の記録された著作物の著作権が適切に保護される。またコンテンツの利用にライセンスの取得を必要とするような複雑な手続き及び管理は必要がない。
【０００９】
前記タグ情報は、ＩＣタグ情報である。前記記録媒体は、コンパクトディスク及びディジタルバーサタイルディスクの一方である。
【００１０】
前記制御部は、前記タグ情報読取部で前記記録媒体のタグ情報を読み取ることができないときは、前記記録部に記録された対応する記録媒体のデータを消去する。本発明によれば、読取部でタグ情報を読み取ることができないときは、著作権の制限を受ける者の利用ではないと判断し、記録部に記録された記録媒体のデータを消去することにより、記録媒体に格納された著作物の著作権が適切に保護される。
【００１１】
本発明の記録再生方法は、記録媒体からデータを読み取るステップと、前記記録媒体のタグ情報を読み取るステップと、前記読み取った記録媒体のデータと前記読み取ったタグ情報を関連付けて所定の記録部に記録するステップと、前記記録部に記録された記録媒体のデータの再生時に読み取ったタグ情報と、前記記録部に記録されたタグ情報が対応するものであるときに、前記記録部に記録された記録媒体のデータの再生を許可するステップとを有する。
【００１２】
本発明によれば、記録部に記録された記録媒体のデータの再生時にタグ情報読取部で読み取ったタグ情報と、記録部に記録されたタグ情報が対応するものであるときは、記録媒体がタグ情報読取部で読み取れる領域に存在すると判断し、記録部に記録された記録媒体のデータの利用は、著作権が制限される者の利用であると判断する。これにより、著作権が制限される者だけが記録部に記録されたデータを再生することができる。よって、リッピングを可能にしながら、記録媒体の記録された著作物の著作権が適切に保護される。
【００１３】
本発明の記録再生方法は、前記タグ情報を読み取ることができないときは、前記記録部に記録された対応する記録媒体のデータを消去するステップをさらに有する。本発明によれば、記録媒体のタグ情報を読み取ることができないと判断した場合には、著作権の制限を受ける者の利用ではないと判断し、記録部に記録された記録媒体のデータを消去することにより、記録媒体に格納された著作物の著作権が適切に護される。
【発明の効果】
【００１４】
本発明によれば、リッピングを可能にしながら、記録媒体に記録された著作物の著作権を適切に保護できる記録再生装置及び記録再生方法を提供することができる。
【発明を実施するための最良の形態】
【００１５】
以下、本発明を実施するための最良の形態について説明する。図１は、本発明の実施例に係る記録再生装置の構成図である。図１に示すように、記録再生装置１は、ドライブ（データ読取部）２、ＩＣタグ情報読取装置（タグ情報読取部）３、格納装置（記録部）４、制御部５及び音声／映像出力部６を備える。
【００１６】
記録再生装置１は、記録媒体のデータを読み出して記録すると共に、データの再生を行う。ここでは記録媒体には、例えばコンパクトディスク又はディジタルバーサタイルディスク（ＤＶＤ：Digital Versatile Disc）が含まれる。近年、ＩＣタグ技術の普及が目覚しく、将来はあらゆる物にＩＣタグが付くことが考えられている。本実施例では、在庫管理／流通管理での利便性が期待されるため、ＣＤやＤＶＤに個別のＩＣタグが付けられている。ドライブ２は、ＤＶＤ又はＣＤなどの記録媒体からデータを読み取るものであり、ＤＶＤ又はＣＤから読み取った再生データは直接音声／映像出力部６に出力され、またＤＶＤ又はＣＤから読み取ったリッピングデータを格納装置４へ送る。
【００１７】
ＩＣタグ情報読取装置３は、無線により記録媒体に付加されたＩＣタグからタグ情報を読み取るものであり、車室内のＤＶＤ／ＣＤのディスクのタグ情報を読み取り、タグ情報を制御部５又は格納装置４へ送る。ＩＣタグ情報は、製品の流通管理に使われるため、ＤＶＤ／ＣＤ／タイトル／販売元などの情報が格納される。図２はＩＣタグ情報の例を示す図である。図２に示すように、ＩＣタグ情報には、例えば、種別「ＤＶＤディスク」、タイトル「アニメａ」、販売元「Ａ」及びシリアル番号等が含まれる。なお本実施例ではタグ情報としてＩＣタグの情報を用いた例について説明しているがＩＣタグには限定されない。
【００１８】
格納装置４は、例えば、ハードディスク装置で構成され、記録媒体のデータを格納装置４へ記録する際に、読み取った記録媒体のデータ（リッピングデータ）と読み取ったタグ情報を関連付けて記録する。
【００１９】
制御部５は、例えばＣＰＵ（Central Processing Unit）、ＲＯＭ(Read Only Memory)、ＲＡＭ(Random Access Memory)等を用いて実現され、格納装置４に記録された記録媒体のデータの再生時にＩＣタグ情報読取装置３で読み取ったＩＣタグの情報と、格納装置４に記録されたタグ情報が対応するものであるときは、格納装置４に記録されたリッピングデータの再生を許可する。より具体的には、制御部５は、タグ情報及びリッピングデータ／タグ情報に基づいて、リッピングした（ＤＶＤビデオの再生／ＣＤ音楽の再生）時に、車内をサーチして関連付けしたＩＣタグ情報があるか判別する。例えば、制御部５は、車内をサーチし、アニメａのＩＣタグ情報が検出されるかどうかを判断し、アニメａのＩＣタグ情報が検出された場合、車内にマスターＤＶＤがあると判断し、アニメａのリッピングデータの再生を許可し、車内でアニメａのＩＣタグ情報が検出されない場合、マスターＤＶＤが車内にはないと判断し、アニメａのリッピングデータの再生を許可しない。
【００２０】
制御部５は、ＩＣタグ情報読取装置３で記録媒体のタグ情報を読み取ることができないときは、格納装置４に記録された対応するリッピングデータを消去する。音声／映像出力部６は、制御部５からのディジタルのリッピングを音声信号又は映像信号に変換し、スピーカ（不図示）から音声を出力し、ディスプレイ装置（不図示）に映像を表示させる。
【００２１】
図３はダッシュボード近くのＤＶＤ／ＣＤケース付近にＩＣタグ情報読取装置３を設けた場合の例を示す図である。図３おいて、参照符号１は記録再生装置、３はＩＣタグ情報読取装置、１０はダッシュボード、１１はＤＶＤ／ＣＤを収納するケース、１２はテレビ、１３は計器類をそれぞれ示す。ＩＣタグ情報読取装置３はＤＶＤ／ＣＤ収納ケース１１に収納されたディスクからＩＣタグ情報を読み取れる位置に配置される。ディスクからリッピング後は、ＤＶＤ／ＣＤケース１１に入れディスクに保管する。制御部５は、リッピングデータの再生時、格納装置４内のリッピングデータのタグ情報とＤＶＤ／ＣＤケース１１越しに読み出したタグ情報を比較し、一致した場合に格納装置４内のリッピングデータの再生を許可する。
【００２２】
図４は車内の広範囲に亘ってタグ情報を読み取れるＩＣタグ情報読取装置３を用いた場合の例を示す図である。図４において参照符号１は記録再生装置、３はＩＣタグ情報読取装置、２０は車体を示す。ＩＣタグ情報読取装置３の感度が良い場合、例えばＩＣタグ情報読取装置３を座席下などに配置し、一つで対応させることができる。制御部５は車内全体のタグ情報をサーチし、リッピング時／再生時に利用する。
【００２３】
図５は、本発明の実施例に係る記録再生装置の記録時における動作フローチャートである。ステップＳ１で、記録再生装置１はユーザからコピー要求を受け付ける。ステップＳ２で、ドライブ２は記録媒体からデータを読み取り、リッピングデータに変換し、変換したリッピングデータを格納装置４へ送る。ステップＳ３で、ＩＣタグ情報読取装置３は、記録媒体に付与されたＩＣタグからタグ情報を読み取り、読み取ったタグ情報を格納装置４へ送る。ステップＳ４で、格納装置４はリッピングデータとタグ情報を関連付けて記録する。これにより格納装置４はタグ情報とＤＶＤ／ＣＤ（音楽）からリッピングしたリッピングデータとを関連付けて管理する。
【００２４】
図６は、本発明の実施例に係る記録再生装置の再生時における動作フローチャートである。ステップＳ１１で、制御部５は、利用者の操作に基づきリッピングデータの再生要求を受け付けた場合、ステップＳ１２で、ＩＣタグ情報読取装置３で、タグ情報を読み取る。ステップＳ１２で、制御部５は、ＩＣタグ情報読取装置３で、タグ情報情報を読み取れた場合には、ステップＳ１３で、ＩＣタグ情報読取装置３で読み取ったタグの情報と、格納装置４に記録されたタグ情報が対応するものであるときは、格納装置４に記録されたリッピングデータの再生を許可する。ステップＳ１４で、音声／映像出力部６はデータを再生する。
【００２５】
本実施例によれば、まず、たとえばＤＶＤ映像をリッピングする。そして、リッピングしたいデータを再生する場合に、ＩＣタグを利用し車内にＤＶＤのマスターディスクがあるかどうかを検出し、マスターディスクが有る場合のみリッピングデータの再生を許可する。ＩＣタグ情報により車内にマスターディスクがないと判断した場合は、再生を許可しないか／データを削除するかを実施し、リッピングを可能にしながら、ＣＤやＤＶＤなどの記録媒体に格納された音楽や映画の著作物の著作権を適切に保護することができる。また、ミュージックサーバーのように、ＤＶＤディスクを入れ替えることなく視聴できるようになる。
【００２６】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００２７】
【図１】本発明の実施例に係る記録再生装置の構成図である。
【図２】ＩＣタグ情報の例を示す図である。
【図３】ダッシュボード近くのＤＶＤ／ＣＤケース付近にＩＣタグ情報読取装置３を設けた場合の例を示す図である。
【図４】車内の広範囲に亘ってタグ情報を読み取れるＩＣタグ情報読取装置３を用いた場合の例を示す図である。
【図５】本発明の実施例に係る記録再生装置の記録時における動作フローチャートである。
【図６】本発明の実施例に係る記録再生装置の再生時における動作フローチャートである。
【符号の説明】
【００２８】
１  記録再生装置
２  ドライブ
３  ＩＣタグ情報読取装置
４  格納装置
５  制御部
６  音声／再生出力部
【図１】
2007012122.tif 000003
【図２】
2007012122.tif 000004
【図３】
2007012122.tif 000005
【図４】
2007012122.tif 000006
【図５】
2007012122.tif 000007
【図６】
2007012122.tif 000008